(57)【要約】  本発明は、ジッパ用ロックスライドアセンブリを含む。ロックスライダアセンブリは、ロックスライダアセンブリは、同時に形成されるスライダ（１２）と引手部材（１４）を含むように単一のダイカスト操作で形成される。少なくとも１つのサイドシフトスライドが金型に組み込まれており、集中する平坦な面なしに、ブリッジと引手ループが完全な幾何学的形状で、形成される。少なくとも１つのサイドシフトスライド（４６）が金型に組み込まれており、集中する平坦な面なしに、ブリッジ（１６）と引手ループ（３８）が完全な幾何学的形状で、形成される。【選択図】図１
2019510609.tif 000002
【特許請求の範囲】
【請求項１】
ジッパ用ロックスライドアセンブリであって、
ジッパチェーン（９４）を開閉するように構成、配列されたスライド部材（１２）および引手部材（１４）を含み、
前記スライド部材（１２）はスライドトップ（２３）、スライド底部（８８）およびスプリッタ（３４）を含み、
前記スライドトップ（２３）はトップ面（２４）および下部ガイド面（８６）を有し、
前記スライド底部（８８）は底面（２５）および上部ガイド面（９０）を有し、
前記スプリッタ（３４）によって前記スライドトップ（２３）と前記スライド底部（８８）が分けられて、前記スライドトップ（２３）と前記スライド底部（８８）の間に前記ジッパチェーン（９４）を案内するＹ字形チャネル（９２）が形成され、
前記スライドトップ（２３）の前記トップ面（２４）には、前記トップ面（２４）に一体的に形成された第１の端部（１８）および第２の端部（２０）とブリッジ内面（２６）と一対のブリッジ側面（２１）とを有するブリッジ（１６）が設けられ、
前記ブリッジ（１６）は、前記ジッパチェーン（９４）に対する前記スライド部材（１２）の望ましくない動きに抵抗するように前記ジッパチェーン（９４）の一部に係合するために前記Ｙ字形チャネル（９２）内に延びるロック部材（８２）を含み、
前記引手部材（１４）はループ部分（３８）および第１のタブ部分（４０）を有し、
前記ループ部分（３８）は前記ブリッジの周りに連続ループとして形成されかつ前記第１のタブ部分（４０）と一体的に形成され、
前記引手部材は、前記スライド部材（１２）の自由な動きを提供するように前記ロック部材（８２）を前記ジッパチェーン（９４）から外すように移動可能であり、
前記スライド部材（１２）および前記引手部材（１４）は共につながって途切れず、かつ前記引手部材（１４）が前記スライド部材（１２）に対して自由に動くことができるロックスライドアセンブリ。
【請求項２】
請求項１のロックスライドアセンブリであって、
前記ブリッジ（１６）の前記第２の端部（２０）はロック部材孔（８４）を含み、前記ロック部材（８２）の一部を前記ブリッジ（１６）から前記Ｙ字形チャネル（９２）内に通すためのロック部材チャネル（９６）を含むロックスライドアセンブリ。
【請求項３】
請求項２のロックスライドアセンブリであって、
前記ロック部材はテンパー処理されたバネ材料で構成されているロックスライドアセンブリ。
【請求項４】
請求項３のロックスライドアセンブリであって、
前記ロック部材孔（８４）は前記ブリッジ（１６）の前記第２の端部（２０）および前記ブリッジ（１６）の前記第１の端部（１８）を通って延びており、前記ロック部材（１６）は前記ブリッジ（１６）の前記第２の端部（２０）で前記ロック部材孔（８４）を通って記ブリッジ（１６）の前記第１の端部（１８）で前記ロック部材孔（８４）内に延在しているロックスライドアセンブリ。
【請求項５】
請求項４のロックスライドアセンブリであって、
前記ロック部材（８２）はアーチ部（９８）を含み、前記アーチ部（９８）が前記引手部材（１４）の前記ループ部分（３８）上に延在し、これにより、前記引手部材（１４）の所定方向の移動によって、前記ロック部材（８２）を前記Ｙ字形チャネル（９２）から後退させるロックスライドアセンブリ。
【請求項６】
請求項４のロックスライドアセンブリであって、
前記ロック部材（８２）は引掛部（１００）を含み、前記引掛部（１００）は前記ブリッジ（１６）内に配置された引掛面（１０２）とインターロックするように構成され、前記引掛部および前記引掛面は前記ロック部材（８２）を位置決めして保持するように協働するロックスライドアセンブリ。
【請求項７】
請求項１のロックスライドアセンブリであって、
前記ブリッジ（１６）の前記側面（２１）の１つは、ブリッジ（１６）の第１の端部にロック部材チャネル（１０４）を含み、前記ロック部材チャネル（１０４）は、前記ブリッジ側面（２１）から延在する前記ロック部材（１０６）の第１の端部（１２２）を位置決めするのに十分な幅と深さを有し、
前記ロック部材（１０６）の第２の端部（１０８）が前記Ｙ字形チャネル（９２）内に延在して前記ジッパの一部に係合するロックスライドアセンブリ。
【請求項８】
請求項７のロックスライドアセンブリであって、
前記ロック部材（１０６）の前記第２の端部（１０８）は、前記スライドトップ（２３）を通って前記Ｙ字形チャネル（９２）内に延びる垂直孔（１１０）を通って延在しているロックスライドアセンブリ。
【請求項９】
請求項７のロックスライドアセンブリであって、
前記ロック部材（１０６）は、テンパー処理されたワイヤから構成されているロックスライドアセンブリ。
【請求項１０】
請求項７のロックスライドアセンブリであって、
前記ロックスライドアセンブリ（１０）は、前記引手部材（１４）と前記スライド部材（１２）との間に位置し形成された接続リンク（５４）をさらに含み、
前記接続リンク（５４）は、前記ブリッジ（１６）を前記引手部材（１４）に接続する、前記ループ部分（３８）の周りに延びる連続部材として形成されるロックスライドアセンブリ。
【請求項１１】
請求項１のジッパ用ロックスライドアセンブリであって、
前記ブリッジ（１６）の前記内面（２６）は、前記ブリッジ（１６）を横切って横方向に延びるにつれて実質的に平坦に形成されているロックスライドアセンブリ。
【請求項１２】
請求項１１のジッパ用ロックスライドアセンブリであって、
前記ロックスライドアセンブリは、ダイカストツール（５０）内において形成され、
前記ダイカストツールは、前記ブリッジ（１６）の前記内面（２６）の一部と前記引手部材（１４）の前記ループ部分（３８）の下部とを形成する少なくとも１つのサイドシフトスライド（４６）を有し、
前記少なくとも１つのサイドシフトスライド（４６）がその挿入経路に対して直角にシフトするように構成されているロックスライドアセンブリ。
【請求項１３】
請求項１のジッパ用ロックスライドアセンブリであって、
前記ダイカストツール（５０）は、前記ブリッジ（１６）の前記内面（２６）の一部分と前記ループ部分（３８）の下部を形成するための２つのサイドシフトスライド（４６）を含み、前記２つのサイドシフトスライド（４６）は、互いに隣接する位置へそれらの挿入経路に対して直角にシフトするように構成されているロックスライドアセンブリ。
【請求項１４】
請求項１のジッパ用ロックスライドアセンブリであって、
前記少なくとも１つのサイドシフトスライド（４６）は、前記少なくとも１つのサイドシフトスライド（４６）の挿入深さが一旦確立された後にシフトして、前記ループ部分（３８）の一部を形成する前記ツールを閉じるように構成されているロックスライドアセンブリ。
【請求項１５】
請求項１のジッパ用ロックスライドアセンブリであって、
前記少なくとも１つのサイドシフトスライド（４６）は、前記ブリッジ（１６）の下から後退する前に前記引手部材（１４）のループ部分（３８）から側方に離れてシフトするように構成されているロックスライドアセンブリ。
【請求項１６】
請求項２のロックスライドアセンブリであって、
前記ロック部材は弾性材料で構成されているロックスライドアセンブリ。
【請求項１７】
請求項１のスライドアセンブリであって、
前記引手部材（１４）はその上に一体的に形成された標識（７８）を含み、前記標識が前記ダイカストプロセス中に形成されるスライドアセンブリ。
【請求項１８】
請求項１のスライドアセンブリであって、
前記スライド部材（１２）はその上に一体的に形成された標識（７８）を含み、前記標識が前記ダイカストプロセス中に形成されるスライドアセンブリ。
【請求項１９】
請求項１のジッパ用ロックスライドアセンブリであって、
前記引手部材（１４）の前記ループ部分（３８）が実質的に丸であるスライドアセンブリ。
【請求項２０】
請求項１のジッパ用スライドアセンブリであって、
前記引手部材（１４）の前記ループ部分（３８）が多角形であるスライドアセンブリ。
【発明の詳細な説明】
【技術分野】
【０００１】
本発明は、一般にジッパと呼ばれるスライドファスナに関し、より詳細にはスライドファスナのための金属製の一体ロックスライダおよび引手に関する。
【背景技術】
【０００２】
以前は留め金ロッカーまたはスライドファスナとして知られていたジッパ、ジップ、フライまたはジップ留め具は、衣類または袋のような布地または他の可撓性材料の開口部の縁を結合するために一般に使用される装置である。これは、衣料品（ジャケット、ジーンズなど）、荷物やその他のバッグ、スポーツ用品、キャンプ用品などに使用されている。
【０００３】
ジッパ／ジップのバルクは、数十から数百の特殊形状の金属またはプラスチックの務歯を担持する列を連結して噛み合うように作られた２列の突出した務歯からなる。これらの務歯は、個々のコイルであっても連続したコイルであってもよく、要素とも呼ばれる。手で操作されるスライダは、務歯の列に沿って動く。スライダの内側には、スライダの動きの方向に応じて、務歯の対向する列を互いに噛み合わせるか、またはそれを分離するＹ字型チャネルがある。
【０００４】
一般に、ジッパは製品の全体的なコストのうち少量部に相当する。しかしながら、それが故障した場合は、ジッパを交換または修理するまで、衣服や装置全体を使用できなくなる可能性がある。問題は、しばしばジッパのスライダ部にある。スライダは、典型的にはスライド部分と引手部で作られている。ユーザは、スライドに枢動可能に接続された引手をつかみ、スライドを一方向または他方向に押しまたは引っ張ってスライドを動かす。スライドが移動すると、動きが発生すると務歯が互いに係合したり離脱したりする。スライドは、典型的には、引手が後で組み立てられる１つ以上の部品を含むように製造される。スライドへの引手の組立ては、通常、間隙を有するダイカストされたスライドのブリッジ部分を曲げて、２つの構成要素の間にインターロック係合を形成することによって達成される。別の方法は、堅いブリッジの周りの引手の一部を曲げることを含む。さらに他の方法では、余分なブリッジ部品構造物を組み立てる必要があり、これを曲げたり、かしめたりして、スライドに固定したりすることができる。しかしながら、これらの構造物は弱く、繰り返し使用すると破損し易く、引手部がスライドから離れるようになる。
【０００５】
従来においてスライドと引手を一度に形成することが提案されている。しかしながら、提案された方法、装置、および結果として得られるジッパ製品は、金属から製造された場合、製造することができず、すなわち業界に受け入れられていない。ブリッジにインターロックされた引手を有する金属スライダアセンブリを製造することは、金属の剛性のため非常に困難であることが判明しており、これは、望ましくない態様で部品の形状を変更することなく、形成された部品の周りからのツールの後退を非常に困難にする。
【０００６】
例えば、米国特許第２，７３６，０６２号明細書（Ｓｃｈｅｕｅｒｍａｎｎ  ｅｔ  ａｌ．）は、単一操作にて一緒にスライドおよび引手を成形する方法を開示している。Ｓｃｈｅｕｅｒｍａｎｎは、互いに関して４５度の角度で交差する４つのスライドを利用している。スライダは、スライドのトップ面に対して直角に配置された引手部とスライダセンブリのブリッジおよび引手部で交差します。しかしながら、この方法は、図に示されるように、引手ループおよびブリッジの内面が４５度または類似の角度を含み、内面に沿って鋭い点を形成することを必要とする。鋭い点は、部品に応力上昇を引き起こし、鋭い点は非常に迅速に摩耗し、表面コーティングが摩耗する原因となる。この結果、スライドアセンブリが変色し、洗濯サイクル中に部品が腐食することがよくある。加えて、変更された形状は、引手が回転してブリッジ内を摺動しなければならないスペースを減少させることによって、ブリッジ内の引手の動きを厳しく制限する。
【０００７】
米国特許第５，６０４，９６２号明細書（Ｍａｙｅｒｈｏｆｅｒ）、米国特許５，６９８，２４３号明細書（Ｗａｋａｂａｙａｓｈｉ）、米国特許４，２１０，１９６号明細書（Ｗｅｉｎｅｒ）および英国特許第２，２２０，６０８号明細書（Ｌｉｓｏ）は全て、Ｓｃｈｅｕｅｒｍａｎｎ装置の変形例を示しており、これらは、ツールを後退させるようにブリッジおよび引手の内側の角度を必要とする。たとえ該角度は、すべての特許に記載されていないとしても、ツールが硬化金属を介して後退することができないため、ツールが機能するためにそこに存在しなければならない。
【０００８】
米国特許第２，５０９，２７８号明細書（Ｓｃｈｅｕｅｒｍａｎｎ  ｅｔ  ａｌ．）は、引手ループをその垂直軸の周りに回転させて、引手ループの内面上の角度を解消する成形を開示している。しかしながら、ブリッジの内面には依然として角度が必要であり、垂直軸周りの引手回転に必要な精度でツールを製作することの難しさは、高価すぎることで、分かっている。
【０００９】
米国特許第４，７９０，９７３号明細書（Ｍｉｎａｍｉ  ｅｔ  ａｌ．）は、スライダアセンブリを成形するための異なる方法および装置を開示している。Ｍｉｎａｍｉでは、まずスライドを金型成形し、一旦スライドが凝固すると、スライドがまだ金型内に配置された状態でコアが部分的に後退され第２成形操作で引手を形成する。
【００１０】
米国特許第５，０１３，５１１号明細書（Ａｋａｓｈｉ）は、金属からジッパスライドを形成するさらに別の方法および装置を開示している。ＡｋａｓｈｉはＭｉｎａｍｉのようにスライド部分を第１操作で形成し、第２操作で引手を形成する。しかしながら、Ａｋａｓｈｉの引手部は、他の先行技術に開示されているようにループの代わりにスライドのブリッジに係合するピンを含む。
【００１１】
米国特許第４，９８５，９６９号明細書（Ｔｅｒａｄａ  ｅｔ  ａｌ．）は、ジッパスライドアセンブリを形成するためのさらに別の方法および装置を開示している。Ｔｅｒａｄａは、ピン部材でインターロックされた２つの部分で中間引手部分と組み合わせて、第２操作として金型内にて形成される引手を形成する。
【００１２】
英国特許出願第２，２８９，９１７号明細書（ＹＫＫ  Ｃｏｒｐ．）は、ロックスライダアセンブリを開示している。ＹＫＫロックスライダは、別個の金型内にて引手を形成し、第２金型内にて引手を配置し、スライドが引手のピン部分の周りで形成されて、アセンブリを完成させることを開示している。
【発明の概要】
【発明が解決しようとする課題】
【００１３】
したがって、当技術分野では、ブリッジと引手のループ部分の内角の複数面を含むスライドアセンブリの変更された形状を必要とすることなく、スライドおよび引手が金属から形成することができる、引手と組み合わせたスライドを形成する装置および方法が必要とされている。スライドは、スライドファスナの望ましくない開放を防止するためにジッパチェーンと相互作用するロック機構を含むべきである。
【００１４】
組み合わされたロックスライドおよび引手アセンブリは、エンドユーザによる支持を達成するために、ロックジッパスライドアセンブリが満足しなければならない人間工学的必要性を満たすべきである。これには、引手の自由な動きおよび回転を可能にする内面形状を含むスライドブリッジ内に配置されたロック機構を設けることが含まれる。さらに、ロックジッパスライドアセンブリは、操作するために過度の強度を必要としたり、大きくまたは旋回する構成部品を含むべきではない。さらに、ロックジッパスライドアセンブリは、完成したジッパアセンブリまたは衣類アセンブリの審美的外観を損なわないような方法で一緒に組み立てられなければならない。
【課題を解決するための手段】
【００１５】
したがって、本発明は、単一操作で形成されたダイカストロックジッパスライドアセンブリを提供し、１回または複数回の操作で形成された従来技術のジッパスライドアセンブリの欠点を克服する。本発明のロックジッパスライドアセンブリは、製造が比較的簡単であるばかりでなく、ブリッジおよび引手ループの内面にて動き制限および故障し易い角度を付ける必要なく、スライドおよび引手を一緒に製造することを可能にする。本発明は、一体的に相互接続されたブリッジ内にロック部材を配置する。本発明はまた、少なくとも１つのサイドシフトスライドを利用する製造方法を提供し、それにより、スライド角度で連動してスライド角度に対応するように部品形状を修正する必要があるスライドの必要性を解消する。スライドは、スライドファスナの望ましくない開放を防止するジッパチェーンと相互作用するロックアセンブリを含む。ロックアセンブリのロック部材は、引手部材の移動によって解放可能であり、引手の解放時に自動的にリセットされる。また、ロック機構は、スライドが抵抗なしにインターロック位置に自由に移動することを可能にし、引手部がジッパ務歯から解放されることなく非インターロック位置への移動を防止する。
【００１６】
簡単に説明すると、本発明は、ジッパ用のロックスライダアセンブリと、ジッパスライドアセンブリを製造するための方法とを含む。スライダアセンブリは、スライダと引手が同時に形成されることを含む単一のダイカスト操作で形成される。少なくとも１つのサイドシフトスライドが金型に組み込まれており、ブリッジおよび引手ループが完全な幾何学的形状を有し、先行技術で必要とされる集中する平坦な表面なしに形成されることを可能にする。ロック部材は、ブリッジを通って長手方向に延びる予め形成されたチャネル内に嵌合するようにスライドに組み付けられる。ロック部材は、スライドが移動して務歯をインターロック（噛み合わせる）ときにジッパ務歯と自動的に係合するように構成され、配置される。ロック部材は、引手部をブリッジの第２の端部に移動させ、引手部材に小さな力を加えることによって、ジッパ務歯から容易に外れる。
【００１７】
したがって、本発明の目的は、ロックスライドと引手とを含み、一度の操作で金属から形成されるジッパのためのロックスライダアセンブリを提供することである。
【００１８】
本発明の更なる目的は、内面を収縮することを必要とせずに、完全な形状を含むようにダイカストされるスライドと引手とを含むロッキングスライダアセンブリを提供することである。
【００１９】
本発明のさらに別の目的は、閉じた引手ループとスライド上の閉じたブリッジとを含むジッパのためのロックスライダアセンブリを提供することである。
【００２０】
本発明の別の目的は、ロック部材の位置決めのためにブリッジを通って延びる長手方向に配置されたチャネルを含む、ジッパのためのロックスライダアセンブリを製造する方法を提供することである。
【００２１】
本発明のさらに別の目的は、固化した部品の幾何学的形状の周囲にツールのスライド部分を移動させるための２つ以上のサイドシフトスライドを含むジッパのためのロックスライダアセンブリを製造する方法を提供することである。
【００２２】
本発明の他の目的および利点は、本発明の或る実施形態を説明および例として示す添付の図面と併せた以下の説明から明らかになるであろう。図面は、本明細書の一部を構成し、本発明の例示的な実施形態を含み、その様々な目的および特徴を示す。
【図面の簡単な説明】
【００２３】
【図１】図１は、スライダアセンブリのダイカストのための好ましい位置を示す本発明の一実施形態の上部等角斜視図である。
【図２】図２は、ブリッジの領域内に円形断面を有するスライダ引手とロック部材とを示す、図１に示す実施形態の部分背面斜視図である。
【図３】図３は、少なくとも１つのサイドシフトスライドを有するダイカストツールの閉型を示す、図１に示す実施形態の部分平面図である。
【図４】図４は、スライドのブリッジを通って延びるロック部材の一実施形態を示す、図２の線４−４に沿った断面図である。
【図５Ａ】図５Ａは、スライダアセンブリをジッパチェーンの所定の位置にロックするためのロック部材の一実施形態の側面図である。
【図５Ｂ】図５Ｂは、図５Ａに示すロック部材の平面図である。
【図５Ｃ】図５Ｃは、図５Ａに示されるロック部材の端面図である。
【図６】図６は、スライダアセンブリのスライドと引手との間に形成された追加のリンクと代替のロック部材とを示すロックスライドアセンブリの代替の実施形態の等角図である。
【図７】図７は、ジッパチェーンの一実施形態の平面図である。
【発明を実施するための形態】
【００２４】
本発明は様々な形態の実施形態が可能であるが、図面には示されており、本開示は本発明の例示と見なされるべきであり、本発明を図示の特定の実施形態に限定するものではない。
【００２５】
図１〜図３を全体的に参照すると、ジッパ用のロックスライドアセンブリ（１０）が示されている。その最も単純な形態では、ロックスライドアセンブリ（１０）は、スライド部材（１２）および引手部材（１４）を含む。ロックスライドアセンブリ（１０）は、好ましくは、ダイカスト機械（図示せず）内での単一操作の間に形成される。スライド部材（１２）は、引手部材（１４）の回転およびある直線的な平行移動を可能にするように、引手部材（１４）を位置決めおよび保持するためのブリッジ（１６）を含むように形成される。ブリッジ（１６）はまた、ブリッジ（１６）を弱くして引手部材（１４）を解放し得る破損または隙間を含まないように形成される。特に、ブリッジ（１６）は、第１の端部（１８）、第２の端部（２０）および一対のブリッジ側面（２１）を有する中央部（２２）を含み、すべてが一緒に単一の連続物として一体的に形成されている。ブリッジ（１６）の第１のおよび第２の端部（１８）（２０）の両者は、トップ面（２４）を有するスライドトップ（２３）に一体的に形成されている。スライドトップ（２３）とスライド底部（８８）は共にスプリッタ（３４）で分離して固定されている。スプリッタ（３４）は、当技術分野で知られているように、ジッパチェーン（９４）を接合または分離させるために内側部分（３２）をＹ字形に分割する。スライドトップ（２３）は、トップ面（２４）と、上部ガイド（７２）を形成するスライドトップの一部として一体的に形成された一対のガイド壁（３６）に沿った下側第１ガイド面（８６）と、を含む。スライド底部（８８）は、下部ガイド（７４）を形成するスライド底部（８８）の一部として一体的に形成された一対のガイド壁（３６）に沿った第２の上部ガイド面（９０）を含む。スプリッタ（３４）およびガイド（７２）（７４）は一緒に、第１の方向に動かされるときにジッパチェーン（９４）をインターロックし、第２の方向に動かすときにジッパチェーン（９４）をはずすように構成、配置されている。
【００２６】
好ましい実施形態の図２、図４および図５Ａ〜図５Ｂを参照すると、ブリッジ（１６）はロック部材（８２）（図２）を含み、該ロック部材は、ジッパチェーン（９４）の一部に係合するためにＹ字形チャネル（９２）内に延在して、ジッパチェーン（９４）に対するスライド部材（１２）の望ましくない移動を阻止するものである。ブリッジの内面（２６）は、スライドの横から横に延びるように実質的に平坦に形成されるが、機能または美観のために任意の望ましい長手方向の輪郭を含むことができる。そこで、ロック部材（８２）はブリッジの内面の輪郭に一致するように形成され、ロック部材（８２）の一部は、引手部材（１４）がロック部材（８２）の引掛部（１１２）をジッパチェーン（９４）との係合から後退できるように形成されている。ブリッジが一体的に形成されているので、コーナー半径（２８）およびフィレット（３０）は、構造に強度および剛性並びに美的外観を付与するためのダイカストプロセス中に形成することができる。
【００２７】
一実施形態の図１〜図６を参照すると、ブリッジ（１６）の第２の端部（２０）は、ロック部材孔（８４）を含む。ロック部材孔（８４）は、ロック部材（８２）の一部をブリッジからＹ字形チャネル（９２）内に通すためのロック部材チャネル（９６）を含む。ロック部材孔（８４）は、好ましくはブリッジ（１６）の第２の端部（２０）およびブリッジ（１６）の第１の端部（１８）を通って延びており、ロック部材（１６）はブリッジ（１６）の第２の端部（２０）でロック部材孔（８４）を通って記ブリッジ（１６）の第１の端部（１８）でロック部材孔（８４）内に延在している（図４参照）。このように、ロック部材（８２）は、ブリッジ（１６）内に配置された引掛面（１０２）とインターロックするように構成され引掛部（１００）を含み、引掛部（１００）および引掛面（１０２）がロック部材（８２）を位置決めして保持するように協働する。一実施形態では、ロック部材（８２）はアーチ部（９８）を含むようにテンパー処理されたバネ材料、または他の高反発性材料から構成されている。アーチ部分（９８）は引手部材（１４）のループ部分（３８）を越えて延在する。これにより、所定方向にて引手部材（１４）が移動すると、ロック部材（８２）の引掛部（１１２）がＹ字形チャネル（９２）から後退し、ジッパチェーン（９４）がチャネルを自由に移動できるようになる。
【００２８】
図１、図２、図５Ａ、５図Ｂおよび図５Ｃを参照すると、ロック部材（８２）の一実施形態が示されている。ロック部材（８２）は、ブリッジの第１の端部（１８）と第２の端部（２０）との間に延びるのに十分な長さを有し、ブリッジ（１６）の内面（２６）に密接する曲率を有する輪郭の中央部分（１６）を含む。ロック部材（８２）の前方部分（１１６）は、ロック部材（８２）をブリッジ（１６）内に保持して位置決めする引掛部（１００）を含む。この非限定的な実施形態では、引掛部（１００）は、ロック部材（８２）の部分的な穿孔として形成される。この構造により、前方部分（１１６）がロック部材チャネル（１０４）を通って挿入されて、それによって引掛部（１００）が引掛面（１０２）を越えて、ロック部材を適切な位置に保持することができる。ロック部材（８２）の後方部分（１１８）は、Ｙ字形溝（９２）内に延在しジッパチェーン務歯の一部と係合する引掛部（１１２）を含む。好ましい実施形態では、引掛部（１１２）は、ジッパチェーン（９４）の一方の側面に係合する。しかしながら、引掛部（１１２）は、本発明の範囲から逸脱することなく、ジッパチェーン（９４）またはジッパチェーン（９４）を支持するウェビング（ｗｅｂｂｉｎｇ）の任意の部分に係合することができる。ロック部材（８２）のアンラッチ部（１２０）は、通常の状態でブリッジ（１６）の内面（２６）から離間して形成されていることに注意されたい。この場合、ロック部材のこの部分を引手部材（１４）を利用して移動させて、引掛部（１１２）をＹ字型チャネル（９２）から後退させることができる。引手部材（１４）の動きにより、ロック部材（８２）が解放されてジッパ務歯を係合させる。この構造は、ロック部材（８２）をＹ字形チャネル（９２）から後退させる必要があるときに、ロック部材（８２）をジッパチェーン（９４）と係合する方向に移動させることができるが、後退することなくジッパチェーン（９４）を外すようにスライドを移動させることはできないことを可能にすることに注意されたい。このロック部材は平坦であるように示されているが、リーフタイプのバネ部材であっても、本発明の範囲から逸脱することなく、記載された機能を提供するのに適した他の形状を利用できることに注意されたい。
【００２９】
引手部材（１４）は、ループ部分（３８）を含むようにブリッジ（１６）の周りの所定の位置に形成されることに注意されたい。ループ部分は、使用中に２つの構成要素の破損および分離をなくすように第１のタブ部分（４０）と一体的に形成されている。ループ部分（３８）は、円形、楕円形、多角形などを含む任意の幾何形状を含むことができる。本発明の製造方法は、形状が完全でありかつ先行技術に見られるような製造中に形成された部品からツールを取り外すために必要な集中する平坦面を必要としないことを提供する。図１に示す実施形態では、ループ部分（３８）は、断面が正方形に形成され、全体のスライドアセンブリ（１０）に所望の外観および機能を提供する内側コーナー（４４）を有する実質的に平坦な内側ループ面（４２）を備えている。図２は、図１に記載されたのと同じまたは類似のブリッジ構造の周りに形成された円形断面を有するループ部分（３８）を有するスライドアセンブリ（１０）を示す。この実施形態では、ループ形状が完全に形成され、成形後にツールの後退のためのレリーフ形状を必要としない。
【００３０】
図６を参照すると、ロックスライドアセンブリ（１０）の代替実施形態が示されている。この実施形態では、ブリッジ（１６）の前記側面（２１）の１つは、ブリッジ（１６）の第１の端部にロック部材チャネル（１０４）を含むように形成されている。ロック部材チャネル（１０４）は、ブリッジ側面（２１）から延在する丸いロック部材（１０６）の第１の端部（１２２）を位置決めするのに十分な幅と深さを有し、丸いロック部材（１０６）の第２の端部（１０８）が前記Ｙ字形チャネル（９２）内に延在して前記ジッパチェーン（９４）の一部に係合するようになっている。少なくとも１つの実施形態において、ロック部材（１０６）の第２の端部（１０８）は、前記スライドトップ（２３）を通って前記Ｙ字形チャネル（９２）に延びる垂直孔（１１０）を通って延在しており、垂直孔（１１０）はスライドおよび引手の形成中に形成される。したがって、ロック部材（１０６）は、本発明の範囲から逸脱することなく、ワイヤ、フラット材料、または任意の他の望ましい形状の材料で形成することができる。
【００３１】
図１〜図６を参照すると、引手部材（１４）は、ループ部分（３８）を含むようにブリッジ（１６）の周りの所定の位置に形成されている。ループ部分（３８）は、使用中の２つの構成要素の破損および分離が起きないように、第１のタブ部分（４０）と一体的に形成されている。ループ部分（３８）は、幾何形状が完全でありかつロックスライダ無し先行技術に見られるような製造中に形成された部品からツールを取り外すために必要な集中する平坦面を必要としない限り、円形、楕円形、多角形などを含む望ましい幾何形状を含むことができる。図１に示す実施形態では、ループ部分（３８）は、断面が正方形に形成され、全体のスライドアセンブリ（１０）に所望の外観および機能を提供する内側コーナー（４４）を有する実質的に平坦な内側ループ面（４２）を備えている。図２は、図１に記載されたのと同じまたは類似のブリッジ構造の周りに形成された円形断面を有するループ部分（３８）を有するスライドアセンブリ（１０）を示す。この実施形態では、ループ形状が完全に形成され、成形後にツールの後退のためのレリーフ形状を必要としない。
【００３２】
図３は、ブリッジ（１６）の周りの適所に引手部材（１４）を形成するための一実施形態を示す。図示のように、ツールは、少なくとも１つのサイドシフトスライド（４６）を含む。ダイカストツール（５０）が閉じられてスライド部材（１２）と引手部材（１４）とを形成するので、少なくとも１つのサイドシフトスライド（４６）と少なくとも１つの第１のインサート（４８）と１つの第２のインサート（５２）とは、ブリッジ（１６）の下の領域に挿入される。インサート（４８）およびサイドシフトインサート（４６）は、まず、スライドがその挿入深さに達した後に側方にシフトが起こるように、挿入経路に沿って位置決めされる。次に、第２のインサート（５２）は、一旦側方にシフトが発生すると、サイドシフトインサート（４６）に隣接するダイカストツール（５０）（金型）内に位置するようにタイミングがとられる。金型の残りの部分は、本発明の範囲から逸脱することなく、スライドの前後または同時にスライドさせることができる。金型の他の部分は、ループ（３８）の残りの部分および引手部材（１４）を形成する金型部分を含む。最も好ましい実施形態では、引手部材（１４）は、図１に示すようにスライドに対して垂直に立つように配置される。しかしながら、サイドシフトスライド（複数可）を利用することによって、引手部材（１４）は、本発明の範囲から逸脱することなく、金型内の必要に応じて異なる角度に回転させることができることに注意されたい。ダイカスト金型内にスライドアセンブリ（１０）を形成した後、少なくとも１つのサイドシフトスライド（４６）は、スライドアセンブリの形成後の直交する側方にシフト（サイドシフト（side shift））を行うように構成され、サイドシフトスライドはブリッジ（１６）の下からのスライドの後退の前にループ部分（３８）の形状を明確にするのに十分な長さを有する。
【００３３】
図６を参照すると、引手部材（１４）とスライド部材１２との間に位置決めされて形成された接続リンク（５４）をさらに含むスライドアセンブリ（１０）が示されている。接続リンク（５４）は、ブリッジ（１６）およびループ（３８）の周りに延在し、ブリッジ（１６）を引手部材（１４）に接続する連続部材として形成される。接続リンク（５４）は、引手部材（１４）のループ部分（３８）と同様にサイドシフトスライド（４６）を使用して形成される。
【００３４】
図１〜図６に示すように、引手部材（１４）またはスライド（１２）は、限定されないが、ロゴ、図形、文字、シリアルナンバー、ロット数字、部品番号、特許番号、商標などの標識（７８）を含んでもよく、標識はスライドアセンブリ（１０）の一部として一体的に形成されもよいことに注意されたい。具体的には、ロゴ、図形または文字は、引手部材またはスライドのいずれの面に形成されてもよい。これは、他の製造方法よりも著しい利点を提供する。本実施形態は、ダイカストプロセスにおいて金属からスライドアセンブリを形成するために具体的に使用され、したがって、限定されないが、チタン、亜鉛、アルミニウム、マグネシウム、銅、真ちゅうなどの様々な金属およびそれらの適切な組合せを利用することができることに注意されたい。
【００３５】
本明細書で言及した全ての特許および刊行物は、当業者のレベルを示すものである。本発明に関連する。すべての特許および刊行物は、個々の刊行物が具体的かつ個別に参照により組み入れられることが示されているのと同程度に、参照により本明細書に組み込まれる。
【００３６】
本発明の或る形態が示されているが、本明細書に記載され、示された特定の形態または配置に限定されるものではないことを理解されたい。当業者であれば、本発明の範囲から逸脱することなく様々な変更を行うことができ、本発明は、特定されたものに限定されると見なされるべきではないことが明らかであろう。
【００３７】
当業者は、本発明が、目的を実行し、上述した目的および利点、ならびにそれらに固有の目的および利点を得るために十分に適合していることを容易に理解するであろう。本明細書に記載された任意の化合物、方法、手順および技術は、好ましい実施形態を代表するものであり、例示的なものであり、範囲の限定を意図するものではない。本発明の精神の範囲内に包含され、添付の特許請求の範囲によって定義される、当業者にはその中での変更および他の用途が生じるであろう。本発明は、特定の好ましい実施形態に関連して記載されているが、特許請求される本発明はそのような特定の実施形態に不当に限定されるべきではないことを理解されたい。実際に、当業者には明らかである、本発明を実施するための記載された態様の様々な改変は、添付の特許請求の範囲内にあることが意図されている。
【図１】
2019510609.tif 000003
【図２】
2019510609.tif 000004
【図３】
2019510609.tif 000005
【図４】
2019510609.tif 000006
【図５Ａ】
2019510609.tif 000007
【図５Ｂ】
2019510609.tif 000008
【図５Ｃ】
2019510609.tif 000009
【図６】
2019510609.tif 000010
【図７】
2019510609.tif 000011
【国際調査報告】
2019510609.tif 000012
2019510609.tif 000013
2019510609.tif 000014